(57)【要約】  移動通信方法は、一般セルを管理する一般基地局と、前記一般セルのカバーエリアよりも狭いカバーエリアを有する特定セルを管理する特定基地局とを含む移動通信システムに適用される。移動通信方法は、前記一般セルにおいてコネクティッド状態の移動端末である一般移動端末から前記前記特定基地局に対して、干渉検出用ＲＡＣＨ信号を送信するステップＡと、前記特定基地局から前記一般基地局に対して、前記干渉検出用ＲＡＣＨ信号の検出結果を通知するステップＢとを備える。
2013065839.tif 000002
【特許請求の範囲】
【請求項１】
一般セルを管理する一般基地局と、前記一般セルのカバーエリアよりも狭いカバーエリアを有する特定セルを管理する特定基地局とを含む移動通信システムに適用される移動通信方法であって、
前記一般セルにおいてコネクティッド状態の移動端末である一般移動端末から前記前記特定基地局に対して、干渉検出用ＲＡＣＨ信号を送信するステップＡと、
前記特定基地局から前記一般基地局に対して、前記干渉検出用ＲＡＣＨ信号の検出結果を通知するステップＢとを備えることを特徴とする移動通信方法。
【請求項２】
前記一般基地局から前記一般移動端末に対して、前記干渉検出用ＲＡＣＨ信号の送信に用いるＲＡＣＨパラメータ、及び、前記干渉検出用ＲＡＣＨ信号の送信タイミングを送信するステップＣを備え、
前記干渉検出用ＲＡＣＨ信号の送信タイミングは、前記一般セルと前記特定セルとのタイミングずれ量に基づいて定められることを特徴とする請求項１に記載の移動通信方法。
【請求項３】
前記特定基地局から前記一般基地局に対して、前記ＲＡＣＨパラメータを選択するためのＲＡＣＨパラメータ候補を通知するステップＤを備えることを特徴とする請求項１に記載の移動通信方法。
【請求項４】
前記特定セルにおいて干渉が生じている場合に、前記ステップＤにおいて、前記特定基地局から前記一般基地局に対して、前記ＲＡＣＨパラメータ候補を通知することを特徴とする請求項３に記載の移動通信方法。
【請求項５】
前記一般基地局が、前記干渉検出用ＲＡＣＨ信号が送信されているＲＡＣＨ送信期間において、前記特定セルにおいて上りリンク無線リソースを割当てずに、上りリンク無線リソースのスケジューリングを規制するステップＥを備えることを特徴とする請求項１に記載の移動通信方法。
【請求項６】
前記特定セルのカバーエリア端のうち、前記一般基地局に最も近い端と前記一般基地局との間の距離が距離ＬＭＩＮであり、
前記特定セルのカバーエリア端のうち、前記一般基地局から最も遠い端と前記一般基地局との間の距離が距離ＬＭＡＸであり、
前記ステップＣにおいて、前記一般基地局から、前記距離ＬＭＩＮから距離ＬＭＡＸまでの範囲を示す帯状の環状領域内に位置する前記一般移動端末に対して、前記ＲＡＣＨパラメータ及び前記干渉検出用ＲＡＣＨ信号の送信タイミングを送信することを特徴とする請求項１に記載の移動通信方法。
【請求項７】
前記帯状の環状領域は、前記一般セルから前記特定セルにハンドオーバする前記移動端末の下りリンク信号の同期タイミングと前記一般セルから前記特定セルにハンドオーバする前記移動端末の上りリンク信号の同期タイミングとの差異に基づいて定められることを特徴とする請求項５に記載の移動通信方法。
【請求項８】
前記帯状の環状領域は、前記特定セルから前記一般セルにハンドオーバする前記移動端末の上りリンク信号の同期タイミング補正値に基づいて定められることを特徴とする請求項５に記載の移動通信方法。
【発明の詳細な説明】
【技術分野】
【０００１】
本発明は、一般セル及び特定セルが混在する移動通信システムに適用される移動通信方法に関する。
【背景技術】
【０００２】
近年、ＬＴＥ（Ｌｏｎｇ  Ｔｅｒｍ  Ｅｖｏｌｕｔｉｏｎ）などの次世代移動通信システムが提案されている。【０００３】
ところで、移動通信システムでは、カバーエリアが異なる複数種類のセル（例えば、一般セル及び特定セル）の混在が想定される。一般セルのカバーエリアは、特定セルのカバーエリアよりも広い。一般セルは、例えば、通信事業者によって提供されるマクロセルである。特定セルは、例えば、通信事業者以外の第三者によって提供されるフェムトセル又はホームセルである。但し、特定セルは、通信事業者によって提供されるＣＳＧ（Ｃｌｏｓｅｄ  Ｓｕｂｓｃｒｉｂｅｒ  Ｇｒｏｕｐ）セル又はピコセルであってもよい。【０００４】
ここで、特定セルのカバーエリアは、一般セルのカバーエリア内に存在することが考えられる。このようなケースでは、一般セルにおいてアイドル状態又はコネクティッド状態である移動端末（以下、一般移動端末）から送信される上り方向信号が特定セルに対して干渉を与えることが考えられる。【０００５】
しかしながら、一般セルは、特定セルに干渉を与える一般移動端末を特定することができない。従って、特定セルから一般セルに対して干渉が生じている旨を示す信号（例えば、ＯＩ：Ｏｖｅｒｌｏａｄ  Ｉｎｄｉｃａｔｏｒ）が送信されても、一般セルは、特定セルが受ける干渉を解消することができない。
【先行技術文献】
【非特許文献】
【０００６】
【非特許文献１】３ＧＰＰ  ＴＳ３６．３００  Ｖ９．４．０
【発明の概要】
【０００７】
第１の特徴に係る移動通信方法は、一般セルを管理する一般基地局と、前記一般セルのカバーエリアよりも狭いカバーエリアを有する特定セルを管理する特定基地局とを含む移動通信システムに適用される。移動通信方法は、前記一般セルにおいてコネクティッド状態の移動端末である一般移動端末から前記前記特定基地局に対して、干渉検出用ＲＡＣＨ信号を送信するステップＡと、前記特定基地局から前記一般基地局に対して、前記干渉検出用ＲＡＣＨ信号の検出結果を通知するステップＢとを備える。
【０００８】
第１の特徴において、移動通信方法は、前記一般基地局から前記一般移動端末に対して、前記干渉検出用ＲＡＣＨ信号の送信に用いるＲＡＣＨパラメータ、及び、前記干渉検出用ＲＡＣＨ信号の送信タイミングを送信するステップＣを備える。前記干渉検出用ＲＡＣＨ信号の送信タイミングは、前記一般セルと前記特定セルとのタイミングずれ量に基づいて定められる。
【０００９】
第１の特徴において、移動通信方法は、前記特定基地局から前記一般基地局に対して、前記ＲＡＣＨパラメータを選択するためのＲＡＣＨパラメータ候補を通知するステップＤを備える。
【００１０】
第１の特徴において、前記特定セルにおいて干渉が生じている場合に、前記ステップＤにおいて、前記特定基地局から前記一般基地局に対して、前記ＲＡＣＨパラメータ候補を通知する。
【００１１】
第１の特徴において、前記一般基地局が、前記干渉検出用ＲＡＣＨ信号が送信されているＲＡＣＨ送信期間において、前記特定セルにおいて上りリンク無線リソースを割当てずに、上りリンク無線リソースのスケジューリングを規制するステップＥを備える。
【００１２】
第１の特徴において、前記特定セルのカバーエリア端のうち、前記一般基地局に最も近い端と前記一般基地局との間の距離が距離ＬＭＩＮである。前記特定セルのカバーエリア端のうち、前記一般基地局から最も遠い端と前記一般基地局との間の距離が距離ＬＭＡＸである。前記ステップＣにおいて、前記一般基地局から、前記距離ＬＭＩＮから距離ＬＭＡＸまでの範囲を示す帯状の環状領域内に位置する前記一般移動端末に対して、前記ＲＡＣＨパラメータ及び前記干渉検出用ＲＡＣＨ信号の送信タイミングを送信する。
【００１３】
第１の特徴において、前記帯状の環状領域は、前記一般セルから前記特定セルにハンドオーバする前記移動端末の下りリンク信号の同期タイミングと前記一般セルから前記特定セルにハンドオーバする前記移動端末の上りリンク信号の同期タイミングとの差異に基づいて定められる。
【００１４】
第１の特徴において、前記帯状の環状領域は、前記特定セルから前記一般セルにハンドオーバする前記移動端末の上りリンク信号の同期タイミング補正値に基づいて定められる。
【図面の簡単な説明】
【００１５】
【図１】図１は、第１実施形態に係る移動通信システム１００を示す図である。
【図２】図２は、第１実施形態に係る無線フレームを示す図である。
【図３】図３は、第１実施形態に係る無線リソースを示す図である。
【図４】図４は、第１実施形態に係る適用ケースを示す図である。
【図５】図５は、第１実施形態に係る干渉検出用ＲＡＣＨ信号の送信タイミングを示す図である。
【図６】図６は、第１実施形態に係るＭｅＮＢ１１０Ａを示すブロック図である。
【図７】図７は、第１実施形態に係るＨｅＮＢ１１０Ｂを示すブロック図である。
【図８】図８は、第１実施形態に係る移動通信システム１００の動作を示すシーケンス図である。
【図９】図９は、変更例１に係る帯状の環状領域１１１Ｘを示す図である。
【図１０】図１０は、変更例１に係る帯状の環状領域１１１Ｘを示す図である。
【発明を実施するための形態】
【００１６】
以下において、本発明の実施形態に係る移動通信システムについて、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
移動通信方法は、一般セルを管理する一般基地局と、前記一般セルのカバーエリアよりも狭いカバーエリアを有する特定セルを管理する特定基地局とを含む移動通信システムに適用される。移動通信方法は、前記一般セルにおいてコネクティッド状態の移動端末である一般移動端末から前記前記特定基地局に対して、干渉検出用ＲＡＣＨ信号を送信するステップＡと、前記特定基地局から前記一般基地局に対して、前記干渉検出用ＲＡＣＨ信号の検出結果を通知するステップＢとを備える。
【００１９】
実施形態では、一般移動端末から特定基地局に対して干渉検出用ＲＡＣＨ信号が送信され、特定基地局から一般基地局に対して干渉検出用ＲＡＣＨ信号の検出結果が通知される。従って、一般基地局は、干渉検出用ＲＡＣＨ信号の検出結果によって、特定セルに与える干渉の干渉源（一般移動端末）を特定することができる。
【００２０】
［第１実施形態］
（移動通信システム）
以下において、第１実施形態に係る移動通信システムについて説明する。図１は、第１実施形態に係る移動通信システム１００を示す図である。
【００２１】
図１に示すように、移動通信システム１００は、無線端末１０（以下、ＵＥ１０）と、コアネットワーク５０とを含む。また、移動通信システム１００は、第１通信システムと第２通信システムとを含む。
【００２２】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、基地局１１０Ａ（以下、ＭｅＮＢ１１０Ａ）と、ホーム基地局１１０Ｂ（以下、ＨｅＮＢ１１０Ｂ）と、ホーム基地局ゲートウェイ１２０Ｂ（以下、ＨｅＮＢ−ＧＷ１２０Ｂ）と、ＭＭＥ１３０とを有する。
【００２３】
なお、第１通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＭｅＮＢ１１０Ａ、ＨｅＮＢ１１０Ｂ及びＨｅＮＢ−ＧＷ１２０Ｂによって構成される。
【００２４】
第２通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第２通信システムは、基地局２１０Ａ（以下、ＭＮＢ２１０Ａ）と、ホーム基地局２１０Ｂ（以下、ＨＮＢ２１０Ｂ）と、ＲＮＣ２２０Ａと、ホーム基地局ゲートウェイ２２０Ｂ（以下、ＨＮＢ−ＧＷ２２０Ｂ）と、ＳＧＳＮ２３０とを有する。
【００２５】
なお、第２通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＭＮＢ２１０Ａ、ＨＮＢ２１０Ｂ、ＲＮＣ２２０Ａ、ＨＮＢ−ＧＷ２２０Ｂによって構成される。
【００２６】
ＵＥ１０は、第２通信システム或いは第１通信システムと通信を行うように構成された装置（Ｕｓｅｒ  Ｅｑｕｉｐｍｅｎｔ）である。例えば、ＵＥ１０は、ＭｅＮＢ１１０Ａ及びＨｅＮＢ１１０Ｂと無線通信を行う機能を有する。或いは、ＵＥ１０は、ＭＮＢ２１０Ａ及びＨＮＢ２１０Ｂと無線通信を行う機能を有する。
【００２７】
ＭｅＮＢ１１０Ａは、一般セル１１１Ａを管理しており、一般セル１１１Ａに存在するＵＥ１０と無線通信を行う装置（ｅｖｏｌｖｅｄ  ＮｏｄｅＢ）である。
【００２８】
ＨｅＮＢ１１０Ｂは、特定セル１１１Ｂを管理しており、特定セル１１１Ｂに存在するＵＥ１０と無線通信を行う装置（Ｈｏｍｅ  ｅｖｏｌｖｅｄ  ＮｏｄｅＢ）である。
【００２９】
ＨｅＮＢ−ＧＷ１２０Ｂは、ＨｅＮＢ１１０Ｂに接続されており、ＨｅＮＢ１１０Ｂを管理する装置（Ｈｏｍｅ  ｅｖｏｌｖｅｄ  ＮｏｄｅＢ  Ｇａｔｅｗａｙ）である。
【００３０】
ＭＭＥ１３０は、ＭｅＮＢ１１０Ａと接続されており、ＭｅＮＢ１１０Ａと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ１３０は、ＨｅＮＢ−ＧＷ１２０Ｂを介してＨｅＮＢ１１０Ｂと接続されており、ＨｅＮＢ１１０Ｂと無線接続を設定しているＵＥ１０の移動性を管理する装置である。
【００３１】
ＭＮＢ２１０Ａは、一般セル２１１Ａを管理しており、一般セル２１１Ａに存在するＵＥ１０と無線通信を行う装置（ＮｏｄｅＢ）である。
【００３２】
ＨＮＢ２１０Ｂは、特定セル２１１Ｂを管理しており、特定セル２１１Ｂに存在するＵＥ１０と無線通信を行う装置（Ｈｏｍｅ  ＮｏｄｅＢ）である。
【００３３】
ＲＮＣ２２０Ａは、ＭＮＢ２１０Ａに接続されており、一般セル２１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３４】
ＨＮＢ−ＧＷ２２０Ｂは、ＨＮＢ２１０Ｂに接続されており、特定セル２１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００３５】
ＳＧＳＮ２３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３６】
なお、一般セル及び特定セルは、ＵＥ１０と無線通信を行う機能として理解すべきである。但し、一般セル及び特定セルは、セルのカバーエリアを示す用語としても用いられる。また、一般セル及び特定セルなどのセルは、セルで用いられる周波数、拡散コード又はタイムスロットなどによって識別される。
【００３７】
ここで、一般セルのカバーエリアは、特定セルのカバーエリアよりも広い。一般セルは、例えば、通信事業者によって提供されるマクロセルである。特定セルは、例えば、通信事業者以外の第三者によって提供されるフェムトセル又はホームセルである。但し、特定セルは、通信事業者によって提供されるＣＳＧ（Ｃｌｏｓｅｄ  Ｓｕｂｓｃｒｉｂｅｒ  Ｇｒｏｕｐ）セル又はピコセルであってもよい。
【００３８】
なお、以下においては、第１通信システムについて主として説明する。但し、以下の記載が第２通信システムに適用されてもよい。
【００３９】
ここで、第１通信システムでは、下り方向の多重方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が用いられており、上り方向の多重方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。
【００４０】
また、第１通信システムでは、上り方向のチャネルとして、上り方向制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）及び上り方向共有チャネル（ＰＵＳＣＨ；Ｐｈｙｓｉｃａｌ  Ｕｐｌｉｎｋ  Ｓｈａｒｅｄ  Ｃｈａｎｎｅｌ）などが存在する。また、下り方向のチャネルとして、下り方向制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）及び下り方向共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが存在する。
【００４１】
上り方向制御チャネルは、制御信号を搬送するチャネルである。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。
【００４２】
ＣＱＩは、下り方向の伝送に使用すべき推奨変調方式と符号化速度を通知する信号である。ＰＭＩは、下り方向の伝送の為に使用することが望ましいプリコーダマトリックスを示す信号である。ＲＩは、下り方向の伝送に使用すべきレイヤ数（ストリーム数）を示す信号である。ＳＲは、上り方向無線リソース（後述するリソースブロック）の割当てを要求する信号である。ＡＣＫ／ＮＡＣＫは、下り方向のチャネル（例えば、ＰＤＳＣＨ）を介して送信される信号を受信できたか否かを示す信号である。
【００４３】
上り方向共有チャネルは、制御信号（上述した制御信号を含む）又は／及びデータ信号を搬送するチャネルである。例えば、上り方向無線リソースは、データ信号にのみ割当てられてもよく、データ信号及び制御信号が多重されるように割当てられてもよい。
【００４４】
下り方向制御チャネルは、制御信号を搬送するチャネルである。制御信号は、例えば、Ｕｐｌｉｎｋ  ＳＩ（Ｓｃｈｅｄｕｌｉｎｇ  Ｉｎｆｏｒｍａｔｉｏｎ）、Ｄｏｗｎｌｉｎｋ  ＳＩ（Ｓｃｈｅｄｕｌｉｎｇ  Ｉｎｆｏｒｍａｔｉｏｎ）、ＴＰＣビットである。
【００４５】
Ｕｐｌｉｎｋ  ＳＩは、上り方向無線リソースの割当てを示す信号である。Ｄｏｗｎｌｉｎｋ  ＳＩは、下り方向無線リソースの割当てを示す信号である。ＴＰＣビットは、上り方向のチャネルを介して送信される信号の電力の増減を指示する信号である。
【００４６】
下り方向共有チャネルは、制御信号又は／及びデータ信号を搬送するチャネルである。例えば、下り方向無線リソースは、データ信号にのみ割当てられてもよく、データ信号及び制御信号が多重されるように割当てられてもよい。
【００４７】
なお、下り方向共有チャネルを介して送信される制御信号としては、ＴＡ（Ｔｉｍｉｎｇ  Ａｄｖａｎｃｅ）が挙げられる。ＴＡは、ＵＥ１０とＭｅＮＢ１１０Ａとの間の送信タイミング補正情報であり、ＵＥ１０から送信される上り方向信号に基づいてＭｅＮＢ１１０Ａによって測定される。
【００４８】
また、下り方向制御チャネル（ＰＤＣＣＨ）下り方向共有チャネル（ＰＤＳＣＨ）以外のチャネルを介して送信される制御信号としては、ＡＣＫ／ＮＡＣＫが挙げられる。ＡＣＫ／ＮＡＣＫは、上り方向のチャネル（例えば、ＰＵＳＣＨ）を介して送信される信号を受信できたか否かを示す信号である。
【００４９】
なお、一般セル及び特定セルは、報知チャネル（ＢＣＣＨ；Ｂｒｏａｄｃａｓｔ  Ｃｏｎｔｒｏｌ  Ｃｈａｎｎｅｌ）を介して報知情報を報知する。報知情報は、例えば、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）などの情報である。
【００５０】
（無線フレーム）
以下において、第１通信システムにおける無線フレームについて説明する。図２は、第１通信システムにおける無線フレームを示す図である。
【００５１】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００５２】
なお、１つのスロットは、下り方向において、複数のＯＦＤＭシンボル（例えば、６つのＯＦＤＭシンボル或いは７つのＯＦＤＭシンボル）によって構成される。同様に、１つのスロットは、上り方向において、複数のＳＣ−ＦＤＭＡシンボル（例えば、６つのＳＣ−ＦＤＭＡシンボル或いは７つのＳＣ−ＦＤＭＡシンボル）によって構成される。
【００５３】
（無線リソース）
以下において、第１通信システムにおける無線リソースについて説明する。図３は、第１通信システムにおける無線リソースを示す図である。
【００５４】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ  Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００５５】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００５６】
また、無線リソースは、ＭｅＮＢ１１０Ａによって割当てられる。ＭｅＮＢ１１０Ａは、ＣＱＩ、ＰＭＩ、ＲＩなどに基づいて、各ＵＥ１０に割当てられる。
【００５７】
（適用シーン）
以下において、第１実施形態に係る適用シーンについて説明する。図４は、第１実施形態に係る適用シーンを説明するための図である。ここでは、一般セルを管理する一般基地局として、ＭｅＮＢ１１０Ａを例示して、特定セルを管理する特定基地局として、ＨｅＮＢ１１０Ｂを例示する。
【００５８】
また、一般セル１１１Ａにおいてコネクティッド状態のＵＥ１０（以下、ＭＵＥと称する）として、ＭＵＥ１０Ａを例示する。特定セル１１１Ｂにおいてコネクティッド状態のＵＥ１０（以下、ＨＵＥと称する）として、ＨＵＥ１０Ｂを例示する。
【００５９】
図４に示すように、ＭＵＥ１０ＡからＭｅＮＢ１１０Ａに送信される上りリンク信号は、ＭＵＥ１０Ａの位置によっては、ＨＵＥ１０ＢからＭｅＮＢ１１０Ａに送信される上りリンク信号に干渉する。
【００６０】
ＨｅＮＢ１１０Ｂは、ＭＵＥ１０Ａが一般セル１１１Ａにおいてコネクティッドであるため、特定セル１１１Ｂに干渉を与えるＭＵＥ１０Ａを特定することができない。また、特定セル１１１Ｂに干渉を与えるＭＵＥ１０Ａは、特定セル１１１Ｂからの下りリンク信号を受信できていないため、自身が特定セル１１１Ｂの上りリンク信号へ干渉を与えていることを知らない。そのため、従来の手順では、ＭｅＮＢ１１０Ａは、特定セル１１１Ｂに干渉を与えるＭＵＥ１０Ａを特定することができない。
【００６１】
但し、従来の手順においても、ＨｅＮＢ１１０Ｂは、ＭｅＮＢ１１０Ａに対して、特定セル１１１Ｂにおいて干渉が生じている旨を示す干渉レポート（ＯＩ：Ｏｖｅｒｌｏａｄ Ｉｎｄｉｃａｔｏｒ）を送信することは可能である。例えば、干渉レポートは、リソースブロック毎に干渉が生じているか否かを示す。或いは、干渉レポートは、リソースブロック毎に生じている干渉のレベルを示す。
【００６２】
これに対して、第１実施形態では、ＭＵＥからＨｅＮＢ１１０Ｂに対して、干渉検出用ＲＡＣＨ信号が送信され、ＨｅＮＢ１１０ＢからＭｅＮＢ１１０Ａに対して、干渉検出用ＲＡＣＨ信号の検出結果が通知される。
【００６３】
ここで、一般セル１１１Ａにおけるサブフレームのタイミングと特定セル１１１Ｂにおけるサブフレームのタイミングとの同期が取れているとは限らない。従って、ＨｅＮＢ１１０ＢのＲＡＣＨ検出期間において、干渉検出用ＲＡＣＨ信号が送信されずに、ＨｅＮＢ１１０Ｂが干渉検出用ＲＡＣＨ信号を検出できないケースが想定される。
【００６４】
従って、ＨｅＮＢ１１０Ｂが干渉検出用ＲＡＣＨ信号を検出できるように、干渉検出用ＲＡＣＨ信号の送信タイミングがＭｅＮＢ１１０Ａによって指定される。
【００６５】
具体的には、図５に示すように、ＭＵＥがＭｅＮＢ１１０Ａに上りリンク信号を送信するタイミングは、時刻ｔ０である。ＭｅＮＢ１１０ＡがＭＵＥから上りリンク信号を受信するタイミングは、時刻ｔ１である。ＭＵＥがＭｅＮＢ１１０Ａから下りリンク信号を受信するタイミングは、時刻ｔ２である。ここで、時刻ｔ０と時刻ｔ１との差異及び時刻ｔ１と時刻ｔ２との差異は、ＭＵＥとＭｅＮＢ１１０Ａとの間の伝搬遅延時間である。時刻ｔ０と時刻ｔ２との差異は、一般セル１１１Ａにおける上りリンク信号の送信タイミングと下りリンク信号の送信タイミングとの調整量であり、ＴＡ（Ｔｉｍｉｎｇ  Ａｄｖａｎｃｅ）と称される。
【００６６】
図５に示すように、ＭｅＮＢ１１０Ａにおいて、ＳＦＮ（Ｓｙｓｔｅｍ Ｆｒａｍｅ Ｎｕｍｂｅｒ）がαであり、サブフレーム番号がβであるタイミングは、時刻ｔ１である。一方で、ＨｅＮＢ１１０Ｂにおいて、ＳＦＮ（Ｓｙｓｔｅｍ Ｆｒａｍｅ Ｎｕｍｂｅｒ）がαであり、サブフレーム番号がβであるタイミングは、時刻ｔ５である。
【００６７】
このようなケースにおいて、時刻ｔ１においてＭｅＮＢ１１０Ａから送信される下りリンク信号は、時刻ｔ３においてＨｅＮＢ１１０Ｂによって受信される。従って、一般セル１１１Ａと特定セル１１１Ｂとのタイミングずれ量は、時刻ｔ５と時刻ｔ３との差分（タイミングずれ量Ｙ）によって表される。
【００６８】
従って、ＨｅＮＢ１１０Ｂは、既知のプリアンブルを含む下りリンク信号を受信して、タイミングずれ量Ｙを検出することが可能である。既知のプリアンブルは、ＭｅＮＢ１１０ＡのＳＦＮ及びサブフレーム番号を特定可能な情報である。
【００６９】
ここで、サブフレームβがＨｅＮＢ１１０ＢのＲＡＣＨ検出期間であるケースについて考える。このようなケースでは、ＭＵＥは、時刻ｔ４において干渉検出用ＲＡＣＨ信号を送信することによって、ＨｅＮＢ１１０Ｂは、時刻ｔ５において干渉検出用ＲＡＣＨ信号を受信することができ、干渉検出用ＲＡＣＨ信号を検出することができる。
【００７０】
例えば、時刻ｔ１においてＭｅＮＢ１１０Ａから送信される下りリンク信号に応じて、ＭＵＥが干渉検出用ＲＡＣＨ信号を送信するケースでは、干渉検出用ＲＡＣＨ信号の送信タイミングは、干渉検出用ＲＡＣＨ信号の送信を指示する下りリンク信号の受信時刻（図５に示す時刻ｔ２）からタイミングずれ量Ｙが経過した時刻（図５に示す時刻ｔ４）である。
【００７１】
或いは、干渉検出用ＲＡＣＨ信号の送信タイミングは、ＭＵＥが一般セル１１１ＡにＲＡＣＨを送信すべき時刻（図５に示す時刻ｔ２）からＴＡ及びタイミングずれ量Ｙが経過した時刻（図５に示す時刻ｔ４）である。
【００７２】
このように、干渉検出用ＲＡＣＨ信号の送信タイミングは、一般セル１１１Ａと特定セル１１１Ｂとのタイミングずれ量に基づいて定められる。
【００７３】
このように、ＭＵＥから干渉検出用ＲＡＣＨ信号が送信される場合には、ＭＵＥから送信される干渉検出用ＲＡＣＨ信号が時刻ｔ６においてＭｅＮＢ１１０Ａに到達する。従って、干渉検出用ＲＡＣＨ信号を送信しない他のＭＵＥから送信される上りリンク信号は、干渉検出用ＲＡＣＨ信号の干渉を受けてしまう。
【００７４】
そこで、第１実施形態では、ＭｅＮＢ１１０Ａは、干渉検出用ＲＡＣＨ信号が送信されているＲＡＣＨ送信期間において、一般セル１１１Ａにおいて上りリンク無線リソースを割当てずに、上りリンク無線リソースのスケジューリングを規制することが好ましい。図５に示すように、ＲＡＣＨ送信期間は、例えば、時刻ｔ５から１サブフレーム期間である。
【００７５】
すなわち、ＭｅＮＢ１１０Ａは、時刻ｔ１において干渉検出用ＲＡＣＨ信号の送信を指示する下りリンク信号を送信する場合には、時刻ｔ１から、Ｘ＋Ｙ＋ＰＴＡが経過した時刻（図５に示す時刻ｔ５）から１サブフレーム期間に亘って、一般セル１１１Ａにおいて上りリンク無線リソースを割当てないことが好ましい。なお、ＰＴＡは、ＨｅＮＢ１１０Ｂのセル端に位置するHUEが、ＨｅＮＢ１１０Ｂから想定されると期待されるTA値である。ＰＴＡは、固定値でもよく、ＨｅＮＢ１１０Ｂは、ＰＴＡを事前に知っている。
【００７６】
或いは、ＭｅＮＢ１１０Ａは、時刻ｔ１から、２Ｘ＋Ｙが経過した時刻（図５に示す時刻ｔ５）から１サブフレーム期間に亘って、一般セル１１１Ａにおいて上りリンク無線リソースを割当てなくてもよい。
【００７７】
（一般基地局）
以下において、第１実施形態に係る一般基地局について説明する。図６は、第１実施形態に係る一般基地局（ここでは、ＭｅＮＢ１１０Ａ）を示すブロック図である。
【００７８】
図６に示すように、ＭｅＮＢ１１０Ａは、受信部１１５Ａと、送信部１１６Ａと、制御部１１７Ａとを有する。
【００７９】
受信部１１５Ａは、ＵＥ１０（例えば、ＭＵＥ）から上りリンク信号を受信する。受信部１１５Ａは、バックホール・ネットワーク経由で、ＨｅＮＢ１１０Ｂからメッセージ（例えば、干渉レポート、タイミングずれ量、ＲＡＣＨパラメータ候補又は干渉検出用ＲＡＣＨ信号の検出結果）を受信する。干渉レポートは、上述したように、特定セル１１１Ｂにおいて干渉が生じている旨を示す。ＲＡＣＨパラメータ候補は、ＲＡＣＨパラメータを選択するための候補である。例えば、ＲＡＣＨパラメータ候補は、干渉検出用ＲＡＣＨ信号を生成するためのランダムアクセスプリアンブルの候補である。干渉検出用ＲＡＣＨ信号の検出結果は、ＭｅＮＢ１１０Ａによって指定されたＲＡＣＨパラメータ（ランダムアクセスプリアンブル、ＰＲＡＣＨマスクインデックス）を含む。
【００８０】
送信部１１６Ａは、ＵＥ１０（例えば、ＭＵＥ）に下りリンク信号（例えば、ＲＡＣＨパラメータ、干渉検出用ＲＡＣＨ信号の送信タイミング）を送信する。送信部１１６Ａは、バックホール・ネットワーク経由で、ＨｅＮＢ１１０Ｂにメッセージを送信する。ＲＡＣＨパラメータは、干渉検出用ＲＡＣＨ信号の送信に用いるパラメータである。ＲＡＣＨパラメータは、例えば、ランダムアクセスプリアンブル、ＰＲＡＣＨマスクインデックスを含む。
【００８１】
制御部１１７Ａは、ＭｅＮＢ１１０Ａの動作を制御する。例えば、制御部１１７Ａは、ＭＵＥに無線リソースを割当てる。制御部１１７Ａは、干渉検出用ＲＡＣＨ信号の検出結果（ランダムアクセスプリアンブル、ＰＲＡＣＨマスクインデックス）に基づいて、特定セル１１１Ｂに干渉を与えるＭＵＥ（以下、干渉ＭＵＥ）を特定する。制御部１１７Ａは、特定された干渉ＭＵＥに対して、特定セル１１１Ｂで用いる周波数とは異なる周波数へのハンドオーバを指示する。詳細には、制御部１１７Ａは、図８に示すＭｅＮＢ１１０Ａの動作を制御する。
【００８２】
（特定基地局）
以下において、第１実施形態に係る特定基地局について説明する。図７は、第１実施形態に係る特定基地局（ここでは、ＨｅＮＢ１１０Ｂ）を示すブロック図である。
【００８３】
図７に示すように、ＨｅＮＢ１１０Ｂは、受信部１１５Ｂと、送信部１１６Ｂと、制御部１１７Ｂとを有する。
【００８４】
受信部１１５Ｂは、ＵＥ１０（例えば、ＨＵＥ）から上りリンク信号（例えば、干渉検出用ＲＡＣＨ信号）を受信する。受信部１１５Ｂは、バックホール・ネットワーク経由で、ＭｅＮＢ１１０Ａからメッセージを受信する。
【００８５】
送信部１１６Ｂは、ＵＥ１０（例えば、ＨＵＥ）に下りリンク信号を送信する。送信部１１６Ｂは、バックホール・ネットワーク経由で、ＭｅＮＢ１１０Ａにメッセージ（例えば、干渉レポート、タイミングずれ量、ＲＡＣＨパラメータ候補又は干渉検出用ＲＡＣＨ信号の検出結果）を送信する。
【００８６】
制御部１１７Ｂは、ＨｅＮＢ１１０Ｂを制御する。例えば、制御部１１７Ｂは、ＨＵＥに無線リソースを割当てる。詳細には、制御部１１７Ｂは、図８に示すＨｅＮＢ１１０Ｂの動作を制御する。
【００８７】
（移動通信システムの動作）
以下において、第１実施形態に係る移動通信システムの動作について説明する。図８は、第１実施形態に係る移動通信システム１００の動作を示すシーケンス図である。
【００８８】
図８に示すように、ステップ１０において、ＨｅＮＢ１１０Ｂは、ＭｅＮＢ１１０Ａに対して、特定セル１１１Ｂにおいて干渉が生じている旨を示す干渉レポートを送信（通知）する。
【００８９】
ステップ２０において、ＨｅＮＢ１１０Ｂは、ＭｅＮＢ１１０Ａに対して、ＨｅＮＢ１１０ＢのＲＡＣＨ構成情報（ＲＡＣＨ Ｃｏｎｆｉｇ Ｉｎｆｏｒｍａｔｉｏｎ）及びタイミングずれ量を送信（通知）する。ＲＡＣＨ構成情報は、ＲＡＣＨを規定するものであり、ＲＡＣＨで使用するｒｏｏｔＳｅｑｕｅｎｃｅＩｎｄｅｘ、ＲＡＣＨを送信可能なタイミング、使用可能なランダムアクセスプリアンブルの範囲などを規定する。すなわち、ＲＡＣＨ構成情報は、ＲＡＣＨパラメータ候補の一例である。
【００９０】
ステップ３０において、ＭｅＮＢ１１０Ａは、ＭＵＥに対して、ＲＡＣＨパラメータ（例えば、ランダムアクセスプリアンブル、ＰＲＡＣＨマスクインデックス）を送信する。ここで、ＭｅＮＢ１１０Ａは、ＲＡＣＨ構成情報に基づいて、ＲＡＣＨの送信可能なタイミングを取得して、取得されたタイミングの中から、干渉検出用ＲＡＣＨ信号の送信タイミングをＰＲＡＣＨマスクインデックスによって指定する。干渉検出用ＲＡＣＨ信号は、ｒｏｏｔＳｅｑｕｅｎｃｅＩｎｄｅｘの巡回符号に基づいて、ランダムアクセスプリアンブルで指示される部分を符号化する。
【００９１】
ここで、ＲＡＣＨパラメータ及び干渉検出用ＲＡＣＨ信号の送信タイミングを含む下りリンク信号は、干渉検出用ＲＡＣＨ信号の送信を指示する下りリンク信号であることに留意すべきである。
【００９２】
ステップ４０において、ＭＵＥは、ＭｅＮＢ１１０Ａから受信した送信タイミングにおいて、ＭｅＮＢ１１０Ａから受信したＲＡＣＨパラメータを用いて干渉検出用ＲＡＣＨ信号を送信する。
【００９３】
ステップ５０において、ＨｅＮＢ１１０Ｂは、ＭｅＮＢ１１０Ａに対して、干渉検出用ＲＡＣＨ信号の検出結果（例えば、ランダムアクセスプリアンブル、ＰＲＡＣＨマスクインデックス）を送信（通知）する。
【００９４】
ここで、ＨｅＮＢ１１０Ｂは、干渉検出用ＲＡＣＨ信号の受信レベルが所定閾値以上である場合に、干渉検出用ＲＡＣＨ信号の検出結果を送信してもよい。
【００９５】
ステップ６０において、ＭｅＮＢ１１０Ａは、干渉検出用ＲＡＣＨ信号の検出結果に基づいて、干渉検出用ＲＡＣＨ信号の検出結果（ランダムアクセスプリアンブル、ＰＲＡＣＨマスクインデックス）に基づいて、特定セル１１１Ｂに干渉を与えるＭＵＥ（以下、干渉ＭＵＥ）を特定する。
【００９６】
ステップ７０において、ＭｅＮＢ１１０Ａは、特定された干渉ＭＵＥに対して、特定セル１１１Ｂで用いる周波数とは異なる周波数へのハンドオーバを指示する。
【００９７】
（作用及び効果）
第１実施形態では、ＭＵＥからＨｅＮＢ１１０Ｂに対して干渉検出用ＲＡＣＨ信号が送信され、ＨｅＮＢ１１０ＢからＭｅＮＢ１１０Ａに対して干渉検出用ＲＡＣＨ信号の検出結果が通知される。従って、ＭｅＮＢ１１０Ａは、干渉検出用ＲＡＣＨ信号の検出結果によって、特定セル１１１Ｂに与える干渉の干渉源（ＭＵＥ）を特定することができる。
【００９８】
第１実施形態では、ＭｅＮＢ１１０ＡからＭＵＥに対して干渉検出用ＲＡＣＨ信号の送信タイミングが送信される。干渉検出用ＲＡＣＨ信号の送信タイミングは、一般セル１１１Ａと特定セル１１１Ｂとのタイミングずれ量に基づいて定められる。従って、一般セル１１１Ａにおけるサブフレームのタイミングと特定セル１１１Ｂにおけるサブフレームのタイミングとの同期が取れていなくても、ＨｅＮＢ１１０Ｂは、ＭＵＥから送信される干渉検出用ＲＡＣＨ信号を検出することができる。
【００９９】
［変更例１］
以下において、第１実施形態の変更例１について説明する。以下においては、第１実施形態に対する相違点について主として説明する。
【０１００】
変更例１では、ＭｅＮＢ１１０Ａは、距離ＬＭＩＮから距離ＬＭＡＸまでの範囲を示す帯状の環状領域内に位置するＭＵＥに対して、干渉検出用ＲＡＣＨ信号の送信を指示する下りリンク信号を送信する。言い換えると、ＭｅＮＢ１１０Ａは、距離ＬＭＩＮから距離ＬＭＡＸまでの範囲を示す帯状の環状領域内に位置するＭＵＥに対して、ＲＡＣＨパラメータ及び干渉検出用ＲＡＣＨ信号の送信タイミングを含む下りリンク信号を送信する。
【０１０１】
ここで、距離ＬＭＩＮは、特定セル１１１Ｂのカバーエリア端のうち、ＭｅＮＢ１１０Ａに最も近い端とＭｅＮＢ１１０Ａとの間の距離である。距離ＬＭＡＸは、特定セル１１１Ｂのカバーエリア端のうち、ＭｅＮＢ１１０Ａから最も遠い端とＭｅＮＢ１１０Ａとの間の距離である。
【０１０２】
例えば、帯状の環状領域１１１Ｘは、図９に示すように、一般セル１１１Ａから特定セル１１１ＢにハンドオーバするＵＥ１０（ＵＥ１０１及びＵＥ１０２）が、ハンドオーバの直前に一般セル１１１Ａから設定されていた上りリンク信号の同期タイミング補正値に基づいて定められる。すなわち、帯状の環状領域１１１Ｘは、一般セル１１１Ａから特定セル１１１ＢにハンドオーバするＵＥ１０が、ハンドオーバの直前に一般セル１１１Ａから設定されていたＴＡ（Ｔｉｍｉｎｇ Ａｄｖａｎｃｅ）に基づいて定められる。詳細には、帯状の環状領域１１１Ｘは、ＴＡの最小値−αからＴＡの最大値＋αの範囲にＴＡが属する領域である。但し、αは、所定値である。
【０１０３】
このようなケースにおいて、ＭｅＮＢ１１０Ａは、帯状の環状領域１１１Ｘに位置するＵＥ１０１〜１０４に対して、特定セル１１１Ｂで用いる周波数とは異なる周波数へのハンドオーバを指示するハンドオーバ指示を送信する。
【０１０４】
或いは、帯状の環状領域１１１Ｘは、図１０に示すように、特定セル１１１Ｂから一般セル１１１ＡにハンドオーバするＵＥ１０（ＵＥ１０１及びＵＥ１０２）の上りリンク信号の同期タイミング補正値に基づいて定められる。詳細には、帯状の環状領域１１１Ｘは、同期タイミング補正値の最小値−αから同期タイミング補正値の最大値＋αの範囲に同期タイミング補正値が属する領域である。但し、αは、所定値である。
【０１０５】
或いは、特定セル１１１Ｂから一般セル１１１ＡにハンドオーバするＵＥ１０（ＵＥ１０１及びＵＥ１０２）が、ハンドオーバの直後に一般セル１１１Ａから設定される上りリンク信号の同期タイミング補正値に基づいて定められる。すなわち、帯状の環状領域１１１Ｘは、特定セル１１１Ｂから一般セル１１１ＡにハンドオーバするＵＥ１０が、ハンドオーバの直後に一般セル１１１Ａから設定されるＴＡ（Ｔｉｍｉｎｇ Ａｄｖａｎｃｅ）の最小値及び最大値に基づいて定められる
このようなケースにおいて、ＭｅＮＢ１１０Ａは、帯状の環状領域１１１Ｘに位置するＵＥ１０１〜１０４に対して、特定セル１１１Ｂで用いる周波数とは異なる周波数へのハンドオーバを指示するハンドオーバ指示を送信するハンドオーバ指示を送信する。
【０１０６】
［変更例２］
以下において、第１実施形態の変更例２について説明する。以下においては、第１実施形態に対する相違点について主として説明する。
【０１０７】
変更例２において、干渉検出用ＲＡＣＨ信号を生成するためのランダムアクセスプリアンブルは、特定セル１１１Ｂで用いられるＰＲＡＣＨを生成するためのランダムアクセスプリアンブルと異なる。
【０１０８】
ここで、３ＧＰＰ規格において、ランダムアクセスプリアンブルは、複数のグループに分類されている。ＨｅＮＢ１１０Ｂは、特定セル１１１Ｂで用いられるランダムアクセスプリアンブルが属するグループとは異なるグループをＲＡＣＨパラメータ候補として選択する。或いは、ＨｅＮＢ１１０Ｂは、使用可能なランダムアクセスプリアンブルのうち、所定区間のランダムアクセスプリアンブルを干渉検出用ＲＡＣＨ信号に割当てて、所定区間以外の他の区間のランダムアクセスプリアンブルの使用を禁止してもよい。
【０１０９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１０】
実施形態では、一般セルを管理する一般基地局として、ＭｅＮＢ１１０Ａを例示して、特定セルを管理する特定基地局として、ＨｅＮＢ１１０Ｂを例示した。しかしながら、一般セルを管理する一般基地局は、ＭＮＢ２１０Ａであってもよい。また、特定セルを管理する特定基地局は、ＨＮＢ２１０Ｂであってもよい。
【０１１１】
なお、米国仮出願第６１／５５５１８６号（２０１１年１１月３日出願）の全内容が、参照により、本願明細書に組み込まれている。
【産業上の利用可能性】
【０１１２】
本発明によれば、特定セルに干渉を与える一般移動端末を特定することができる。
【図１】
2013065839.tif 000003
【図２】
2013065839.tif 000004
【図３】
2013065839.tif 000005
【図４】
2013065839.tif 000006
【図５】
2013065839.tif 000007
【図６】
2013065839.tif 000008
【図７】
2013065839.tif 000009
【図８】
2013065839.tif 000010
【図９】
2013065839.tif 000011
【図１０】
2013065839.tif 000012
【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
一般セルを管理する一般基地局と、前記一般セルのカバーエリアよりも狭いカバーエリアを有する特定セルを管理する特定基地局とを含む移動通信システムに適用される移動通信方法であって、
前記一般セルにおいてコネクティッド状態の移動端末である一般移動端末から前記特定基地局に対して、干渉検出用ＲＡＣＨ信号を送信するステップＡと、
前記特定基地局から前記一般基地局に対して、前記干渉検出用ＲＡＣＨ信号の検出結果を通知するステップＢとを備えることを特徴とする移動通信方法。
【請求項２】
前記一般基地局から前記一般移動端末に対して、前記干渉検出用ＲＡＣＨ信号の送信に用いるＲＡＣＨパラメータ、及び、前記干渉検出用ＲＡＣＨ信号の送信タイミングを送信するステップＣを備え、
前記干渉検出用ＲＡＣＨ信号の送信タイミングは、前記一般セルと前記特定セルとのタイミングずれ量に基づいて定められることを特徴とする請求項１に記載の移動通信方法。
【請求項３】
前記特定基地局から前記一般基地局に対して、前記ＲＡＣＨパラメータを選択するためのＲＡＣＨパラメータ候補を通知するステップＤを備えることを特徴とする請求項１に記載の移動通信方法。
【請求項４】
前記特定セルにおいて干渉が生じている場合に、前記ステップＤにおいて、前記特定基地局から前記一般基地局に対して、前記ＲＡＣＨパラメータ候補を通知することを特徴とする請求項３に記載の移動通信方法。
【請求項５】
前記一般基地局が、前記干渉検出用ＲＡＣＨ信号が送信されているＲＡＣＨ送信期間において、前記特定セルにおいて上りリンク無線リソースを割当てずに、上りリンク無線リソースのスケジューリングを規制するステップＥを備えることを特徴とする請求項１に記載の移動通信方法。
【請求項６】
前記特定セルのカバーエリア端のうち、前記一般基地局に最も近い端と前記一般基地局との間の距離が距離ＬＭＩＮであり、
前記特定セルのカバーエリア端のうち、前記一般基地局から最も遠い端と前記一般基地局との間の距離が距離ＬＭＡＸであり、
前記ステップＣにおいて、前記一般基地局から、前記距離ＬＭＩＮから距離ＬＭＡＸまでの範囲を示す帯状の環状領域内に位置する前記一般移動端末に対して、前記ＲＡＣＨパラメータ及び前記干渉検出用ＲＡＣＨ信号の送信タイミングを送信することを特徴とする請求項１に記載の移動通信方法。
【請求項７】
前記帯状の環状領域は、前記一般セルから前記特定セルにハンドオーバする前記移動端末の下りリンク信号の同期タイミングと前記一般セルから前記特定セルにハンドオーバする前記移動端末の上りリンク信号の同期タイミングとの差異に基づいて定められることを特徴とする請求項５に記載の移動通信方法。
【請求項８】
前記帯状の環状領域は、前記特定セルから前記一般セルにハンドオーバする前記移動端末の上りリンク信号の同期タイミング補正値に基づいて定められることを特徴とする請求項５に記載の移動通信方法。
【請求項９】
一般セルを管理する一般基地局と、前記一般セルのカバーエリアよりも狭いカバーエリアを有する特定セルを管理する特定基地局とを含む移動通信システムの前記一般基地局であって、
前記一般セルにおいてコネクティッド状態の移動端末である一般移動端末から前記特定基地局に対して送信された干渉検出用ＲＡＣＨ信号の検出結果を前記特定基地局から受信する受信部を備えることを特徴とする一般基地局。
【請求項１０】
一般セルを管理する一般基地局と、前記一般セルのカバーエリアよりも狭いカバーエリアを有する特定セルを管理する特定基地局とを含む移動通信システムの前記特定基地局であって、
前記一般セルにおいてコネクティッド状態の移動端末である一般移動端末から送信された干渉検出用ＲＡＣＨ信号の検出結果を前記一般基地局に送信する送信部を備えることを特徴とする特定基地局。
【手続補正２】
【補正対象書類名】明細書
【補正対象項目名】０００７
【補正方法】変更
【補正の内容】
【０００７】
第１の特徴に係る移動通信方法は、一般セルを管理する一般基地局と、前記一般セルのカバーエリアよりも狭いカバーエリアを有する特定セルを管理する特定基地局とを含む移動通信システムに適用される。移動通信方法は、前記一般セルにおいてコネクティッド状態の移動端末である一般移動端末から前記特定基地局に対して、干渉検出用ＲＡＣＨ信号を送信するステップＡと、前記特定基地局から前記一般基地局に対して、前記干渉検出用ＲＡＣＨ信号の検出結果を通知するステップＢとを備える。
【手続補正３】
【補正対象書類名】明細書
【補正対象項目名】０１０５
【補正方法】変更
【補正の内容】
【０１０５】
或いは、特定セル１１１Ｂから一般セル１１１ＡにハンドオーバするＵＥ１０（ＵＥ１０１及びＵＥ１０２）が、ハンドオーバの直後に一般セル１１１Ａから設定される上りリンク信号の同期タイミング補正値に基づいて定められる。すなわち、帯状の環状領域１１１Ｘは、特定セル１１１Ｂから一般セル１１１ＡにハンドオーバするＵＥ１０が、ハンドオーバの直後に一般セル１１１Ａから設定されるＴＡ（Ｔｉｍｉｎｇ Ａｄｖａｎｃｅ）の最小値及び最大値に基づいて定められる。
このようなケースにおいて、ＭｅＮＢ１１０Ａは、帯状の環状領域１１１Ｘに位置するＵＥ１０１〜１０４に対して、特定セル１１１Ｂで用いる周波数とは異なる周波数へのハンドオーバを指示するハンドオーバ指示を送信する。
【手続補正４】
【補正対象書類名】明細書
【補正対象項目名】００１８
【補正方法】変更
【補正の内容】
【００１８】
［実施形態の概要］
移動通信方法は、一般セルを管理する一般基地局と、前記一般セルのカバーエリアよりも狭いカバーエリアを有する特定セルを管理する特定基地局とを含む移動通信システムに適用される。移動通信方法は、前記一般セルにおいてコネクティッド状態の移動端末である一般移動端末から前記特定基地局に対して、干渉検出用ＲＡＣＨ信号を送信するステップＡと、前記特定基地局から前記一般基地局に対して、前記干渉検出用ＲＡＣＨ信号の検出結果を通知するステップＢとを備える。
【国際調査報告】
2013065839.tif 000013
2013065839.tif 000014